(57)【要約】      （修正有）【課題】着装する襟飾り自体により、シャツの襟を整った開襟の状態に保持せしめるとともに、開襟の状態とすることで襟元部位に形成される開放部が、通気性の良いメッシュにより被覆されて、襟首部分の通気性を損なわない状態となる襟飾りを提供する。【解決手段】襟飾りＡの主体部ａの上縁部分に、シャツ１の襟首部位の立ち代４の外面側に対し装脱自在に止着する止着手段５を具備する取付部ｂを設け、襟飾りＡの主体部ａの上半部位で、襟飾りＡを着装した状態時においてシャツ１を開襟とすることで形成される開放部Ｂと重なる部位を、通気性の良いメッシュに形成する。【選択図】図５
0003186523.tif 000002
【実用新案登録請求の範囲】
【請求項１】
主体部（ａ）の上縁部分に、シャツ（１）の襟首部位の立ち代（４）の外面側に対し装脱自在に止着する止着手段（５）を具備する取付部（ｂ）を備え、主体部（ａ）の上半部位で、襟飾り（Ａ）を着装した状態時においてシャツ（１）を開襟とすることで形成される開放部（Ｂ）と重なる部位が、通気性の良いメッシュ（ｃ）に形成して装設してあることを特徴とする襟飾り。
【請求項２】
主体部（ａ）の上半部位に装設するメッシュ（ｃ）を編成する横糸及び縦糸の網糸（ｄ）が、該メッシュを展開する方向に付勢するピアノ線等のバネ材で形成してあることを特徴とする請求項１記載の襟飾り。
【請求項３】
主体部（ａ）の上半部位に装設せるメッシュ（ｃ）を編成する横糸及び縦糸に、ビーズ等の飾り石が保持されて、メッシュ（ｃ）が襟飾り（Ａ）の装飾に形成されていることを特徴とする請求項１記載の襟飾り。
【請求項４】
主体部（ａ）の上半部位に装設せるメッシュ（ｃ）が、飾り模様を組み込んだレースに形成してあることを特徴とする請求項１記載の襟飾り。
【請求項５】
主体部（ａ）の上半部位に装設せるメッシュ（ｃ）の上縁部位に、該メッシュ（ｃ）の上縁部位を左右方向に展開するよう付勢するバネ材（ｆ）を、正面視においてコの字形に形成して付設したことを特徴とする請求項１記載の襟飾り。
【考案の詳細な説明】
【技術分野】
【０００１】
本考案は、洋服の襟に着けるネクタイ・ブローチ等の襟飾りであって、着装する洋服のシャツの襟を開襟の状態に保持し、かつ、その開襟の状態に保持したシャツの襟元部位に、通気性の良いメッシュが位置してくるようにした襟飾りについての改良に関する。
【背景技術】
【０００２】
従前の洋服の襟に着装するネクタイ・ブローチ等の襟飾りは、シャツの襟の折り返しを立てて、襟腰（立ち代）の外面が露出した状態とし、この立ち代の外面に沿い襟飾りの基端側を巻き付けて着装し、次いで、立てた折り返しを襟腰（立ち代）の外面側に戻す操作を行って、着装の操作を終えるようにしている。
【０００３】
そして、立ち代の外面に巻き付けた襟飾りの基端側の部分は、襟首を締め付けるように締め込み、これにより、襟飾りを襟元の所定の位置に保持せしめるようにしている。
【０００４】
このことから従前の襟飾りは、基端側の部分が、長い帯状の布地よりなる通常のネクタイの形態のものは勿論、襟飾りの基端側の部分を襟首に巻き付けるブローチの形態のものにあっても、着装したときに、襟首を締め付けるようになることで、むし暑いときには、襟首に巻き付けたネクタイの基端側又はブローチの紐状体の締め付けを緩め、シャツの襟を開襟の状態とすることが必要となる。
【０００５】
このように、むし暑いときに、ネクタイの締め付けを緩めると、着装した襟飾りの形態が崩れ、見苦しいものとなり、また、開襟の状態としたシャツの襟元も乱れたままとなる。
【考案の概要】
【考案が解決しようとする課題】
【０００６】
本考案は、従前の洋服の襟飾りに生じている上述の問題を解消せしめる手段を提供することを解決すべき課題とする考案であって、襟飾りの着装が、頸を締め付けることなく行われ、かつ、着装する襟飾り自体により、シャツの襟を整った開襟の状態に保持せしめるとともに、開襟の状態とすることで襟元部位に形成される開放部が、通気性の良いメッシュにより被覆されて、襟首部分の通気性を損なわない状態となるようにする点を解決すべき課題としている考案である。
【課題を解決するための手段】
【０００７】
本考案は、上述の問題を解決するためになされたものであって、上述の問題の解決するための手段として、本考案においては、主体部ａの上縁部分に、シャツ１の襟首部位の立ち代４の外面側に対し装脱自在に止着する止着手段５を具備する取付部ｂを備え、主体部ａの上半部位で、襟飾りＡを着装した状態時においてシャツ１を開襟とすることで形成される開放部Ｂと重なる部位が、通気性の良いメッシュｃに形成して装設してあることを特徴とする襟飾りを提起し、また、これに併せて、
主体部ａの上半部位に装設するメッシュｃを編成する横糸及び縦糸が、該メッシュを展開する方向に付勢するピアノ線等のバネ材で形成してあることを特徴とする請求項１記載の襟飾り、および、
主体部ａの上半部位に装設せるメッシュｃを編成する横糸及び縦糸の網糸ｄに、ビーズ等の飾り石が保持されて、メッシュｃが襟飾りＡの装飾に形成されていることを特徴とする請求項１記載の襟飾り、および、
主体部ａの上半部位に装設せるメッシュｃが、飾り模様を組み込んだレースに形成してあることを特徴とする請求項１記載の襟飾り、および、
主体部（ａ）の上半部位に装設せるメッシュ（ｃ）の上縁部位に、該メッシュ（ｃ）の上縁部位を左右方向に展開するよう付勢するバネ材（ｆ）を、正面視においてコの字形に形成して付設したことを特徴とする請求項１記載の襟飾りを提起するものである。
【考案の効果】
【０００８】
本考案手段によれば、襟飾りの着装が、取付部ｂをシャツ１の襟元の立ち代４の外面側に係着または止着することで行われることで、頸を締め付けることなく着装されることから、襟元部の頸回りの通気性を良好に保持する。また、シャツ１を開襟の状態として着装する襟飾りＡが、そのシャツ１の襟元部を開襟の状態に保持するようになるので、シャツ１に着崩れを生ぜしめることなく襟飾りＡを整った形態として着装でき、かつ、開襟の状態としたシャツ１の襟元をメッシュｃにより被覆するようになることで、通気性を良好に保持するようになる。
【図面の簡単な説明】
【０００９】
【図１】本考案による襟飾りを着装するシャツの襟元部分の正面図である。
【図２】同上シャツの同上部分の、一番上のボタンを外して開襟の状態とした態様の正面図である。
【図３】本考案による襟飾りの正面図である。
【図４】同上襟飾りの、変形例の正面図である。
【図５】同上の襟飾りの、シャツ（通常のワイシャツ）の襟元部分に着装した状態の正面図である。
【図６】同上襟飾りの変形例の正面図である。
【図７】同上襟飾りの別の変形例の正面図である。
【考案を実施するための形態】
【００１０】
次に本考案手段を、実施例につき、図面に従い詳述する。
【実施例１】
【００１１】
図１は通常のＹシャツであるシャツの襟元部分の正面図、図２は同上シャツの襟の一番上のボタンを外して開襟の状態とした同上シャツの襟元部分の正面図であり、図３は同上シャツに着装する本考案による襟飾りの正面図、図４は同上襟飾りの、変形例の正面図である。
【００１２】
図１、図２において、１はシャツの全体、２は同上シャツ１の襟元部分、３は同上シャツの襟の折り返し、４は同上シャツの襟腰（立ち代）、５は同上襟飾りの止着手段、を示す。
【００１３】
図３、図４において、Ａは、襟飾りの全体、ａは、襟飾りＡの主体部、ｂは、襟飾りＡの上端側の基端部に付設した襟飾りＡをシャツ１の襟元部位に装着するための取付部、ｃは、襟飾りＡの上半側の部位に形成した網状部（メッシュ）、ｄは、網状部ｃを編成する横糸及び縦糸、をそれぞれ示している。
【００１４】
襟飾りＡの主体部ａは、上端側の基端部に、襟飾りＡをシャツ１の襟元部に着装するための取付部ｂと、着装したときに、シャツ１の襟元部に形成されるＶ字状の開放部Ｂに重合して塞ぐための網状部ｃとが形成されるようになっていればよく、所望の形状に形成してよいものである。
【００１５】
この実施例においては、通常の布地よりなるネクタイ地で、一枚の帯状体に形成しているが、この例に限られるものではない。
【００１６】
主体部ａの上縁部位に装設する取付部ｂは、シャツ１の襟元部に対して襟飾りＡを着装し得るようになれば良く、襟飾りＡの適宜の部位に装設してよいものであり、この例においては、主体部ａの上縁部の左右の両側部位に、それぞれ、シャツ１の襟元の立ち代４の上下の幅に略対応する幅で短い帯状に左右に延出する条片を設け、この条片の裏面側を、シャツ１の襟元の立ち代４の外面側に当接し、シャツ１の立ち代４に設けたボタンと襟飾りＡの取付部ｂに設けたボタンホールとの嵌め合い、または、シャツ１の立ち代４に設けたマジックファスナー（登録商標）と襟飾りＡの取付部ｂに設けたマジックファスナー（登録商標）との係着等の適宜の止着手段５により、取付部ｂをシャツ１の襟元の立ち代４の外面に係着または止着することで、襟飾りＡの着装が行われるように構成してある。
【００１７】
主体部ａの上半部位で、襟飾りＡを着装した状態時においてシャツ１の襟を開襟の状態とすることで襟元に形成される開放部Ｂと重なり合う部位に形設する網状部（メッシュｃ）は、開襟とすることで形成した襟元の開放部Ｂが、襟飾りＡにより塞がれて、通気性が損なわれるようになるのを阻止するためのもので、この例においては、横糸と縦糸との網糸ｄで、網目の粗い網状に編成した通常のメッシュｃに形成してある。
【００１８】
そして、このメッシュｃは、帯状の布地で形成する主体部ａとは別に編成しておいて、主体部ａの上縁部に形成せる切欠き部の辺縁に接続して上半部位を編成するようにするか、主体部ａの上半部位に、窓穴状の切欠きを形設してそこに嵌め込むように接続することで、主体部ａの上半部位を構成するようにしている。
【００１９】
このメッシュｃは、図５に示しているように、全体を略長方形状に編成して、開襟としたシャツ１の襟元の開放部Ｂの周辺部位まで覆い込むようにしてよいが、図４に示しているよう開襟によりＶ字型に開放しているシャツ１の襟元の形状に倣う形状に形成してもよい。
【００２０】
また、このメッシュｃを編成する横糸及び縦糸の網糸ｄは、それらのうちの少なくとも横糸を、弾性材よりなるバネ材で形成し、かつ、左右方向に張り出すバネ性を具備するものに成形しておくときは、メッシュｃが、開襟の状態としたシャツ１の襟元部を、着崩れのない整った開襟の状態に保持して襟飾りＡを整った状態に保持するとともに、襟元部位の通気性を良好に保持する。
【００２１】
また、メッシュｃを編成する横糸・縦糸の網糸ｄに、ビーズ等の飾り石ｅを組み付けておくとき、または、メッシュｃを飾り模様のあるレースに編成するときは、襟飾りＡの基端側を印象の強い飾りとし、襟飾りＡを引き立たせるようになる。
【００２２】
また、メッシュｃの上縁部位には、図６の変形例の正面図及び図７の変形例にあるように、ピアノ線等の弾性材よりなるバネ材ｆを正面視においてコの字形に形成して付設し、メッシュｃを左右方向に展開するよう付勢しておくときは、メッシュｃの形状に崩れがなく、襟飾りＡを整った状態に保持して、通気性と見映えを良好にする。
【符号の説明】
【００２３】
Ａ    本考案による襟飾りの全体
Ｂ    開放部
ａ    襟飾りの主体部
ｂ    襟飾りの取付部
ｃ    メッシュ
ｄ    網糸
ｅ    飾り石
ｆ    バネ材
１    シャツの全体
２    シャツの襟元部分
３    シャツの襟の折り返し
４    シャツの襟元部分の立ち代
５    止着手段
【図１】
0003186523.tif 000003
【図２】
0003186523.tif 000004
【図３】
0003186523.tif 000005
【図４】
0003186523.tif 000006
【図５】
0003186523.tif 000007
【図６】
0003186523.tif 000008
【図７】
0003186523.tif 000009